(57)【要約】   【課題】  利用者が携行しやすく嵩張らずに小さく軽く、携帯端末の着脱が容易であり、また装着姿勢のまま簡単な操作が可能である携帯端末ホルダーを提供する。  【解決手段】  携帯端末に沿わせる支持プレート１１０と、伸縮性を備え支持プレート１１０に対して取り付けられた紐体１２０とを備えた構成である。紐体１２０の少なくとも一部が、支持プレート１１０に対して前面側に位置する保持状態と背面側に位置する開放状態が切り替えられる保持部分として支持プレートに取り付けられている。紐体１２０の保持部分１２１を保持状態としたときに、併せて携帯端末２００の前面の一部を覆うことにより携帯端末２００を支持プレート１１０に対して保持する状態となり、紐体１２０の保持部分１２１を支持プレート１１０の背面側に位置する開放状態としたときに携帯端末２００が支持プレート１１０から取り出せる状態となる。【選択図】  図１
2013192085.tif 000002
【特許請求の範囲】
【請求項１】
携帯端末の背面に沿わせる支持プレートと、前記支持プレートに対して取り付けられた伸縮性を備えた紐体によって携帯端末を保持することを特徴とする携帯端末ホルダー。
【請求項２】
前記紐体の少なくとも一部が、保持部分として、前記支持プレートに対して前面側に位置する保持状態と背面側に位置する開放状態が切り替えられるよう可変に前記支持プレートに取り付けられた構造であることを特徴とする請求項１に記載の携帯端末ホルダー。
【請求項３】
前記支持プレートの前面に前記携帯端末を沿わせた状態において、前記保持部分を前記支持プレートの前面側に位置する前記保持状態としたときに、併せて前記携帯端末の前面の一部を覆うことにより前記携帯端末を前記支持プレートに対して保持する状態となり、前記保持部分を前記支持プレートの背面側に位置する前記開放状態としたときに、前記携帯端末が前記支持プレートから取り出せる状態となることを特徴とする請求項２に記載の携帯端末ホルダー。
【請求項４】
前記支持プレートの背面側に取り付けられた前記紐体によりＩＣカードを挟持させることができることを特徴とする請求項１乃至３のいずれか１項に記載の携帯端末ホルダー。
【請求項５】
前記支持プレートの表面に保持させた前記携帯端末または背面に保持させた前記ＩＣカードと、外部のＩＣカードリーダとの通信を支援する磁性材を前記支持プレートの一部に配したことを特徴とする請求項４に記載の携帯端末ホルダー。
【請求項６】
前記紐体の保持部分が、前記携帯端末の四隅に相当する位置となるよう支持プレートに対して取り付けられたものである請求項１乃至５のいずれか１項に記載の携帯端末ホルダー。
【請求項７】
前記支持プレートの四隅の少なくとも１つにおいて、前記携帯端末と前記支持プレートを重ね合わせた状態で前記携帯端末から外方へ突出した角部を備え、前記紐体の保持部分を前記支持プレートの背面側に位置する前記開放状態としたときには前記紐体の保持部分が前記角部の一部に引っ掛かることにより掛止されるものである請求項６に記載の携帯端末ホルダー。
【請求項８】
前記支持プレートの辺にあたる箇所の少なくとも１つにおいて、前記携帯端末と前記支持プレートを重ね合わせた状態で前記携帯端末の外形から外方へ突出した突出部を備え、前記紐体が前記突出部を通過することにより、前記支持プレートに対して前記紐体が取り付けられた構造である請求項１乃至７のいずれか１項に記載の携帯端末ホルダー。
【請求項９】
前記突出部が、前記支持プレートの上辺に少なくとも１つ、下辺に少なくとも１つ、左側辺に少なくとも１つ、右側辺に少なくとも１つずつ設けられており、
前記紐体の保持部分が、上辺と左側辺にある前記突出部の間、上辺と右側辺にある前記突出部の間、下辺と左側辺にある前記突出部の間、下辺と右側辺にある前記突出部の間に設けられ、たすき掛けに前記支持プレートに取り付けられた構造である請求項７または８に記載の携帯端末ホルダー。
【請求項１０】
利用者の体の一部に取り付ける装着部材を備え、利用者の体の一部に対して装着可能とした請求項１乃至９のいずれか１項に記載の携帯端末ホルダー。
【発明の詳細な説明】
【技術分野】
【０００１】
本発明は、主に携帯電話、小型カメラ、デジタルカメラ、ＭＤ・ＭＰ・ＣＤ・プレイヤー、ボイスレコーダ、携帯型パソコンなどの携帯端末のホルダーに関する。携帯電話としては、例えば、タッチパネルを兼用した表示部を備えたスマートフォンなども含まれる。
【背景技術】
【０００２】
近年、携帯電話などの携帯端末の普及は目覚ましく、若人から熟年者まで多くの人々が携帯端末を携帯し、ビジネスにもプライベートにも広範囲に使用されている。また、携帯電話など携帯端末の開発も進み、回路部品や蓄電池の小形化が促進され、本体の大きさも小型・軽量化が進みつつある。特に、スマートフォンと呼ばれる携帯電話は、その表面にタッチパネル式の入力部を兼用した表示部とマイクロフォンとスピーカーなどがあり、側面に数種類のボタンやジャックなどが配置され、電話機能とともに数々の多数のアプリケーションを搭載した一種の小型コンピュータとも言えるものとなっている。
【０００３】
しかしながら、携帯電話などの携帯端末は小型・軽量化が進んだとはいえ、その形状は、一般に縦長の矩形形状であって、ある程度の重さがあり、携帯電話など携帯端末には、多数のボタンスイッチなども配置されるため、使用者が頻繁に移動したり動いたりする場合には、そのまま裸の状態で被服のポケットに入れておくことは、携帯端末の落下、ボタン類や表示部の傷つき、ボタンなどの圧迫押下による誤動作などのおそれがある。
それら問題を防止するために、携帯電話などの携帯端末を収納するホルダー類が提供されている。
【０００４】
携帯電話を腰部に装着する携帯電話用ホルダーが知られている。
例えば、実用新案登録第３０６０４４７号公報に開示された携帯電話用ホルダーは、図１２に示すように、携帯電話を収納するケース部分と、その背面に設けたクリップを備えた構造となっており、クリップをベルトなどに挟持することにより携帯電話を収納するものが開示されている。
また、特開平１０−２０１５１４号公報に開示された携帯電話用ホルダーは、図１３に示すように、携帯電話を収納するケース部分と、その背面に利用者のベルトを通し入れる切れ込みが入った構造となっており、ベルトをその切れ込みに通し入れることにより携帯電話用ホルダーをしっかりと装着し、携帯電話を収納するものが開示されている。
また、特開２００３−５２４３６号公報に開示された携帯電話用ホルダーは、図１４に示すように、利用者のベルトを通し入れる切れ込みが上下左右に設けられ、携帯電話を収納するケース部分をベルトに対して縦方向、横方向いずれの方向にも装着することができ、携帯電話を立て姿勢及び横姿勢のいずれの方向でも係止することができるものとなっている。
【０００５】
次に、携帯電話を首から吊り下げるように装着するいわゆるネックストラップ型の携帯電話用ホルダーが知られている。
特開２００２−１９９０７４号公報に開示された携帯電話用ホルダーは、図１５に示すように、携帯電話を取り付けた状態で首に掛けるネックストラップであり、リング状のストラップ本体と、ストラップ本体の長手方向に携帯電話用マイクイヤホンが挿通される挿通孔が形成され、携帯電話用マイクイヤホンが挿通孔の両端の開口部から導出できるものとなっている。
【０００６】
また、携帯電話を大腿部に装着する携帯電話用ホルダーも知られている。
特開２００６−３４０７７３号公報に開示された携帯電話用ホルダーは、図１６に示すように、携帯電話を収納するケース部分と、利用者の腰部のベルトに繋がる吊りベルトと、大腿部に巻き付けられるベルトを備えたものとなっており、利用者の大腿部に密着保持する大腿部着用型のケースとなっている。
【０００７】
また、携帯電話を肩から胸にかけて装着する携帯電話用ホルダーも知られている。
特開平７−２５０１４０号公報に開示された携帯電話用ホルダーは、図１７に示すように、使用者の肩部にタスキ掛けにしたベルトの前方において、携帯電話を収容するケースを装着したことを特徴とする携帯電話用保持具となっている。
【０００８】
【特許文献１】実用新案登録第３０６０４４７号公報
【特許文献２】特開平１０−２０１５１４号公報
【特許文献３】特開２００３−５２４３６号公報
【特許文献４】特開２００２−１９９０７４号公報
【特許文献５】特開２００６−３４０７７３号公報
【特許文献６】特開平７−２５０１４０号公報
【発明の開示】
【発明が解決しようとする課題】
【０００９】
近年、携帯電話などの携帯端末は、文字通り常に携行するツールとなり、仕事中でも休暇中でも手放さないことが多くなった。例えば、オフィスの中であっても車の運転中であってもスポーツの最中であっても体に装着しておくことが増えてきた。いわゆるアウトドアでの活動時も同様であり、ジョギングやランニング時および自転車やマウンテンバイクのサイクリング中や、自動二輪車でのツーリング中にも携帯電話などの携帯端末を携行することが増えてきた。
平常活動時であれば、携帯電話などの携帯端末を胸ポケットなどのポケット類の中に収納したり、ネックストラップなどで首から吊り下げたりすることで携行には不自由はない。しかし、アウトドアでの活動時、特に、ジョギングやランニング時および自転車やマウンテンバイクのサイクリング中や、自動二輪車でのツーリング中では胸ポケットなどのポケット類の中での収納やネックストラップなどで首から吊り下げたりすることで携行では、利用者が活動しにくかったり携帯端末を落下してしまうおそれがあるなどの不具合がある。
【００１０】
上記特許文献１に開示された携帯電話用ホルダーの場合では、利用者が運動しにくい上、腰付近の屈曲運動を繰り返すと、携帯電話や携帯電話ホルダーを壊してしまうおそれがある。背面に設けられたクリップにおいて、舌状のクリップ挟持部がケースの長手方向に沿って設けられた構造であるため、舌状のクリップ挟持部をポケットの縁やズボンのベルトに上方から差し込むように、止めることになる。このために、使用者が上体を屈がめようとすると、腰付近で上体が前に曲がるために、腹部や足の上部が携帯電話および携帯電話ホルダーの上端や下端に当り、上半身が前に曲げにくいという問題があった。特に、ジョギングやランニング時および自転車やマウンテンバイクや自動二輪車のような乗り物の走行中は腰の屈曲運動が継続的に行われるため利用者にとり大きな負担になるとともに、携帯電話や携帯電話ホルダーを壊してしまうおそれがある。
【００１１】
上記の特許文献２に開示された携帯電話用ホルダーの場合では、クリップ型に比べて、ベルトを切れ込み内に通し入れるため、容易には落下しないと言えるものの、利用者が運動しにくい上、腰付近の屈曲運動を繰り返すと、携帯電話や携帯電話ホルダーを壊してしまうおそれがある点については特許文献１と同じである。
【００１２】
上記の特許文献３に開示された携帯電話用ホルダーの場合では、利用者のベルトを通し入れる切れ込みが上下左右に設けられ、携帯電話を収納するケース部分をベルトに対して縦方向、横方向いずれの方向にも装着することができるため、使い勝手は向上するものの、腰付近に装着することには変わりなく、利用者が運動しにくい上、腰付近の屈曲運動を繰り返すと、携帯電話や携帯電話ホルダーを壊してしまうおそれがある点については特許文献１や特許文献２と同じである。
【００１３】
上記の特許文献４に開示された携帯電話用ホルダーの場合は、携帯電話を取り付けた状態で首に掛けるネックストラップであるものの、両手を使わずに携帯電話をネックストラップに吊り下げたままマイクイヤホンを介して通話できるものであり、利用者の使用姿勢の自由度が向上するが、携帯電話は首に吊り下げたままであるため、ジョギングやランニング時および自転車やマウンテンバイクのサイクリング中や自動二輪車でのツーリング中では利用者が運動しにくい上、利用者の胸を腹に携帯電話が衝突を繰り返すこととなり、上半身の揺動を繰り返すと、携帯電話や携帯電話ホルダーを壊してしまうおそれがある点については特許文献１や特許文献２と同じである。
【００１４】
上記の特許文献５に開示された携帯電話用ホルダーは、利用者の大腿部に密着保持する大腿部着用型の携帯電話ホルダーであるが、ジョギングやランニング時および自転車やマウンテンバイクのサイクリング中や自動二輪車でのツーリング中では、むしろ大腿部はもっとも激しく運動する部分であり、明らかに、利用者が運動しにくい上、大腿部の運動を繰り返すと、携帯電話や携帯電話ホルダーを壊してしまうおそれがある。
【００１５】
上記の特許文献６に開示された携帯電話用ホルダーは、使用者の肩部にタスキ掛けにしたベルトの前方において、携帯電話を収容するケースを装着した携帯電話ホルダーとなっている。ジョギングやランニング時および自転車やマウンテンバイクのサイクリング中や自動二輪車でのツーリング中では、胸付近はもっとも安定した姿勢を保つ箇所であり、その胸に密着して保持すれば、携帯電話への悪影響は小さく抑えることができ、好適な形態であるといえる。
【００１６】
しかし、特許文献６に開示された携帯電話用ホルダーは、不意に落下させることがあってはならないため、携帯電話を収納するケース部分は、厚手の皮や布などの丈夫な素材で作成され、蓋を閉めることにより、携帯電話を完全に内部に密封するものとなっている。このように、厚手の皮や布などの丈夫な素材で作成され、携帯電話を完全に内部に密封するケース部分は大きくかつ厚くなってしまい、利用者がタスキ掛けで胸に密着させて装着すれば、その存在感、重量感は大きくなり、利用者がアクティブに運動するジョギングやランニング時および自転車やマウンテンバイクのサイクリング中や自動二輪車でのツーリング中ではやはり邪魔になってしまう。携帯電話を収納しつつも薄手で軽いものが求められている。特に、ジョギングやランニング時および自転車やマウンテンバイクのサイクリングを楽しむ若い需要者層は、スタイリッシュでおしゃれを重要視する傾向が強い。
また、特許文献６に開示された携帯電話用ホルダーは、両手を使って取り出さねばならず、携帯端末の取り出しに手間や時間がかかるものであり、その使い勝手は必ずしも良いものとは言えない。
【００１７】
さらに、スマートフォンなどの携帯端末は、通話のみならず、音楽を聴いたり、ＧＰＳ機能で経路案内情報を表示させたりなど、ジョギングやランニング時および自転車やマウンテンバイクでの走行中も簡単なオンオフ操作、ボタン操作が求められるが、特許文献６に開示された携帯電話用ホルダーでは、携帯端末が完全に密封されているため、携帯端末を外部に取り出さない限り、簡単なオンオフ操作、ボタン操作もできないという問題がある。
【００１８】
本発明は上述の問題に鑑み、利用者が携行しやすく、嵩張らずに小さく軽く、携帯端末の取り付けや取り出しが容易であり、さらに、装着姿勢のまま、簡単なオンオフ操作やボタン操作が可能である、携帯端末ホルダーを提供することを目的とする。
【課題を解決するための手段】
【００１９】
上記目的を達成するため、本発明の携帯端末ホルダーは、携帯端末の背面に沿わせる支持プレートと、前記支持プレートに対して取り付けられた伸縮性を備えた紐体によって携帯端末を保持することを特徴とする携帯端末ホルダーである。
ここで、前記紐体の少なくとも一部が、保持部分として、前記支持プレートに対して前面側に位置する保持状態と背面側に位置する開放状態が切り替えられるよう可変に前記支持プレートに取り付けられた構造であることが好ましい。
そして、前記支持プレートの前面に前記携帯端末を沿わせた状態において、前記保持部分を前記支持プレートの前面側に位置する前記保持状態としたときに、併せて前記携帯端末の前面の一部を覆うことにより前記携帯端末を前記支持プレートに対して保持する状態となり、前記保持部分を前記支持プレートの背面側に位置する前記開放状態としたときに、前記携帯端末が前記支持プレートから取り出せる状態となることが好ましい。
このように、本発明の携帯端末ホルダーによれば、支持プレートによって携帯端末が安定した姿勢を維持しやすく、かつ、伸縮性のある紐体の保持部分において携帯端末を挟み込んで維持することができる。
【００２０】
ここで、上記構成において、紐体の保持部分の支持プレートにおける配置位置については、携帯端末の四隅に相当する位置となるよう支持プレートに対して取り付けられた構成が好ましい。
また、上記構成において、支持プレートの形状としては、前記支持プレートの四隅の少なくとも１つにおいて、前記携帯端末と前記支持プレートを重ね合わせた状態で前記携帯端末から外方へ突出した角部を備え、前記紐体の保持部分を前記支持プレートの背面側に位置する前記開放状態としたときには前記紐体の保持部分が前記角部の一部に引っ掛かることにより掛止される形状であることが好ましい。
【００２１】
支持プレートの形状としては、さらに、前記支持プレートの辺にあたる箇所の少なくとも１つにおいて、前記携帯端末と前記支持プレートを重ね合わせた状態で前記携帯端末の外形から外方へ突出した突出部を備え、前記紐体が前記突出部を通過することにより、前記支持プレートに対して前記紐体が取り付けられた構造であることが好ましい。
なお、前記突出部が切り欠き構造を備え、前記紐体が前記切り欠き構造に嵌った状態にて前記突出部を通過しているものであれば、支持プレートに対して紐体を通し入れて紐体の保持部分を所定位置に設ける作業が簡単になる。
また、支持プレートにおける突出部の位置については、前記突出部が、前記支持プレートの上辺に少なくとも１つ、下辺に少なくとも１つ、左側辺に少なくとも１つ、右側辺に少なくとも１つずつ設けられており、前記紐体の保持部分が、上辺と左側辺にある前記突出部の間、上辺と右側辺にある前記突出部の間、下辺と左側辺にある前記突出部の間、下辺と右側辺にある前記突出部の間に設けられ、たすき掛けに前記支持プレートに取り付けられた構造であることが好ましい。
【００２２】
なお、本発明の携帯端末ホルダーは、裏面側も活用することができる。
例えば、前記支持プレートの背面側に取り付けられた前記紐体により、ＩＣカードや紙幣などを挟持することができるものとする。
なお、ＩＣカードが無線による通信機能を備えた非接触ＩＣカードである場合や、携帯端末にもＩＣカードリーダを介した無線による通信機能を備えているものがある。そこで、前記支持プレートの表面に保持させた前記携帯端末または背面に保持させた前記ＩＣカードと、外部のＩＣカードリーダとの通信を支援する磁性材を前記支持プレートの一部に配したものであることが好ましい。
磁性材を支持プレートの一部に配することにより、外部のＩＣカードリーダから発せられた磁力線が、非接触ＩＣカードまたは携帯端末を通過する磁路の中で、発振磁界が磁性材により引き込まれて再放射されることにより磁路形成が支援される。
【００２３】
なお、本発明の携帯端末ホルダーを胸や脇付近に密着させて装着する場合、利用者の体の一部に取り付けるストラップ紐またはベルトなどの装着部材を備え、利用者の体の一部に装着可能とすればよい。
【発明の効果】
【００２４】
本発明の携帯端末ホルダーによれば、支持プレートにより携帯端末が安定した姿勢を維持しやすく、かつ、伸縮性のある紐体の保持部分において携帯端末を挟み込んで維持するため、携帯端末に対して支持プレート分の厚みが加わるだけであるため、利用者が携行しやすく、嵩張らずに小さく軽いものとなる。
また、本発明の携帯端末ホルダーによれば、紐体の保持部分の切り替えのみで携帯端末を取り出すことが可能となり使い勝手がよい。
さらに、本発明の携帯端末ホルダーによれば、携帯端末に対して紐体の保持部分が前面の一部に掛かるのみであり、その前面や側面の表面の多くの部分がそのまま触れることが可能であり、装着姿勢のまま、簡単なオンオフ操作やボタン操作が可能である。
【発明を実施するための最良の形態】
【００２５】
以下、図面を参照しつつ、本発明の携帯端末ホルダーの実施例を説明する。
本発明の範囲は以下の実施例に示した具体的な形状、デザイン、個数、角度などには限定されないことは言うまでもない。
【実施例１】
【００２６】
図１および図２は、実施例１にかかる携帯端末ホルダー１００の一構成例を模式的に示す図である。図１（ａ）は正面図、図１（ｂ）は背面図である。図２（ａ）は右側面図、図２（ｂ）は左側面図、図２（ｃ）は平面図、図２（ｄ）は底面図である。
本発明の携帯端末ホルダー１００は、支持プレート１１０と、紐体１２０を備えている。また、この構成例は、後述するストラップ紐やベルトである装着部材１４０に対して携帯端末ホルダー１００を接続するための接続部１３０も備えた構成例となっている。この装着部材１４０については後述する。
【００２７】
支持プレート１１０は、携帯端末の背面に沿わせるものであり、この構成例では図３に示すような形状をしている。後述するように紐体１２０との組み合わせにより前面側に携帯端末２００を保持させることができる。なお、後述するように、支持プレート１１０の背面側にも非接触ＩＣカードや紙幣など薄手のものであれば保持させることができる。
図３は、支持プレート１１０を取り出して示した図である。携帯端末２００との大きさの比較ができるように両者を示している。図３（ａ）は、支持プレート１１０と対象となる大きさの携帯端末２００を示した図、図３（ｂ）は支持プレート１１０の上に携帯端末２００を重ね合せた様子を示す図である。
【００２８】
支持プレート１１０は、プラスチック素材や、アルミニウムなどの軽金属素材などで形成された板体である。
支持プレート１１０にはある程度の剛性は必要である。支持プレート１１０は携帯端末２００に沿い、携帯端末２００を支持するため、構造的強度が必要となるからである。なお、プラスチック素材の場合、構造的強度が保たれれば、ある程度の可撓性を備えたものであることは許容され得る。
【００２９】
図３に示すように、支持プレート１１０は角部１１１と突出部１１２を備えている。支持プレート１１０の大きさは概ね、支持対象となる携帯端末２００の大きさと略同一で良いが、支持プレート１１０において角部１１１と突出部１１２は携帯端末２００よりも外周側へ突出する大きさと形状となっている。
【００３０】
角部１１１は、支持プレート１１０の四隅の少なくとも１つに設けられており、図３（ｂ）に示すように、携帯端末２００と支持プレート１１０とを重ね合わせた状態で、角部１１１は、携帯端末２００の四隅から外方へ突出するような大きさと形状を備えている。
この実施例にかかる角部１１１では複数の役割・働きを持たせたものとなっている。
【００３１】
角部１１１の第１の働きは、携帯端末２００を保護する緩衝機能である。
角部１１１は携帯端末２００の四隅の角よりも外方へ突出することにより、外界から携帯端末２００に対する衝撃が直接加わらないように緩衝材となり得る。この形状の角部１１１は、携帯端末２００の角の周囲全体を完全に覆い隠すものではないが、携帯端末２００の角よりも外方に突出することにより、外界からの障害物が直接、携帯端末２００の角に衝突しにくく、角部１１１が外界からの障害物に当たることにより衝撃を吸収し、障害物から与えられる衝撃力、圧力を逃がすことができる。
【００３２】
角部１１１の第２の働きは、後述するように、紐体の保持部分１２１が“開放状態”にあるときに、紐体の保持部分１２１を掛止させる働きである。この保持部分１２１を角部１１１に掛止させることに関しては、紐体１２０の説明において後述する。
【００３３】
次に、突出部１１２を説明する。
突出部１１２は、支持プレート１１０における紐体１２０を取り付ける部材である。
突出部１１２は、支持プレート１１０の辺にあたる箇所の少なくとも１つ設けられており、図２に示すように、携帯端末２００と支持プレート１１０とを重ね合わせた状態で、携帯端末２００の辺にあたる外形から外方へ突出するような大きさと形状を備えている。
このように、突出部１１２が携帯端末２００の辺よりも外方へ突出したものであれば、携帯電話２００に支持プレート１１０が沿った状態であっても紐体１２０が取り付けやすいものとなっている。
【００３４】
この実施例では、支持プレート１１０の上辺に突出部１１１ａ、下辺に突出部１１１ｂ、左側辺に突出部１１１ｃと突出部１１１ｄ、右側辺に突出部１１１ｅと突出部１１１ｆの合計６つの突出部１１１が設けられた例となっている。この例では、図１に示すように、紐体１２０が突出部１１１ａから突出部１１１ｆを通過することにより携帯端末ホルダー１００が形成されている。
突出部１１２は紐体取り付け部１１３を備え、紐体１２０がこの紐体取り付け部１１３を通過することにより支持プレート１１０と紐体１２０とが交わり合い、紐体１２０が支持プレート１１０に対して取り付けられている。
【００３５】
なお、突出部１１２にある紐体取り付け部１１３の径と紐体１２０の径が略同一であり、紐体１２０が紐体取り付け部１１３から受ける摩擦力が大きなものであり、紐体１２０がしっかりと突出部１１２に固定され、後述する紐体１２０の保持部分１２１の“保持状態”と“開放状態”の切り替え操作程度のテンションでは容易には動かないものとなっていることが好ましい。
【００３６】
紐体１２０の保持部分１２１を、支持プレート１１０の突出部１１２に対して取り付ける方法は特に限定されない。例えば、図４に示すような３つの方法がある。
図４は、突出部１１２における紐体取り付け部１１３部分を拡大して示した図である。
図４（ａ）は紐体取り付け部１１３が突出部１１２の縁に設けられた切り欠きとなっている例である。この場合、突出部１１２の縁の外方から紐体１２０を押し込んで嵌め入れだけで取り付けることができる。
図４（ｂ）は、紐体取り付け部１１３が突出部１１２に穿たれた孔となっている例である。この場合、紐体１２０を支持プレート１１０の突出部１１２を貫通させて取り付けることとなる。
図４（ｃ）は、紐体１２０が支持プレート１１０を貫通するものではなく、保持部分１２１が独立した紐体１２０であり、紐体取り付け部１１３同士の間を結ぶ短い紐体１２０であり、紐体取り付け部１１３に対して貼り付けたり、螺子どめしたりなどの手段により固着されて取り付けられている例である。
【００３７】
この実施例１の構成例では、図４（ａ）に示したように、紐体取り付け部１１３が突出部１１２の縁に設けられた切り欠き構造となっている例として説明する。
図４（ｂ）の切り欠き構造の場合のメリットは、支持プレート１１０に対して紐体１２０を取り付ける組み立て作業が省力化される点である。図４（ａ）のように紐体取り付け部１１３が孔であると、紐体１２０を紐体取り付け部１１３に対して通し入れないと取り付けることができないが、図４（ｂ）のように紐体取り付け部１１３が切り欠きであれば、突出部１１２の縁の外方から紐体１２０を押し込んで嵌め入れだけで取り付けることができる。図４（ａ）の組み立て作業に対して図４（ｂ）の組み立て作業は簡単であり、組み立て作業が短時間で済むこととなる。
なお、図４（ａ）、図４（ｂ）のいずれであっても紐体１２０の径に対して、孔の径や切り欠きの径が略同一であり、紐体１２０の表面に大きな摩擦力が生じ、紐体１２０が容易には紐体取り付け部１１３の中をずれ動かないものとなっている。
【００３８】
次に、突出部１１２の携帯端末２００の緩衝機能について説明する。
突出部１１２も、携帯端末２００の辺よりも外方へ突出しているので、角部１１１と同様、外界から携帯端末２００に対する衝撃が直接加わらないように保護する緩衝機能も果たす。つまり、携帯端末２００の辺よりも外方に突出することにより、外界からの障害物が直接、携帯端末２００の辺に衝突しにくく、突出部１１２が外界からの障害物に当たることによりその衝撃を吸収して緩衝機能を果たすことができる。
【００３９】
次に、紐体１２０を説明する。
紐体１２０は、図１から図３に示すように、支持プレート１１０に対して取り付けられている。
紐体１２０は、伸縮性を備えたものであり、その素材は、例えば、伸縮性を持つように編まれた繊維紐、伸縮性を持つゴム紐などで良い。ただし、紐体１２０の素材は容易に断裂したりしないものであることが好ましい。
【００４０】
紐体１２０の伸縮性、伸縮率は適切なものとなるように選択されるべきである。後述するように、保持部分１２１によって携帯端末２００を挟持したり開放したりするため、伸縮性が過度に小さく伸びにくいものであれば、後述するように、保持部分１２１を支持プレート１１０の前面側に位置する状態（保持状態）と、支持プレート１１０の背面側に位置する状態（開放状態）の切り替えの際に携帯端末２００に当接してその切り替えがうまく行かないという問題が生じ得る。その一方、伸縮性が過度に大きく、緩く伸びやすいものであれば、挟持力が弱いものとなり、後述するように、保持部分１２１を支持プレート１１０の前面側に位置する保持状態としても、携帯端末２００が保持しきれなく携帯端末２００が落下してしまうという問題が生じ得る。
紐体１２０の表面は滑らかなものであっても良いが、前述したように、紐体１２０を、紐体取り付け部１１３の孔や切り欠きに対してしっかりと取り付けられるためには、大きな摩擦力が得られることが好ましい。そこで、表面の摩擦係数がある程度大きい素材が好ましい。
【００４１】
保持部分１２１は、紐体取り付け部１１３同士の間に張り渡された紐体１２０の一部であり、支持プレート１１０に対して前面側に位置する状態（保持状態）と背面側に位置する状態（開放状態）が切り替えられる部分である。
保持部分１２１を設ける位置は限定されないが、この実施例では一例として、携帯端末２００の四隅に相当する位置になるよう、支持プレート１１０の四隅に対して設け、いわゆるたすき掛けに前記支持プレートに取り付けられたものとなっている。なお、本発明としては、保持部分１２１が支持プレート１１０に対して、上端から下端の縦方向、右端から左端への横方向に設けることも除外されず、保持部分１２１が支持プレート１１０に対していわゆる十字型や井桁型に設けることも除外しない。
【００４２】
保持部分１２１は紐体１２０の一部であるため伸縮性があり自在に動くことができる。
紐体１２０の保持部分１２１は、支持プレート１１０の前面側に位置する状態（保持状態）と、支持プレート１１０の背面側に位置する状態（開放状態）の２状態を切り替えることができるものであるが、その“開放状態”にあるときに、紐体の保持部分１２１を角部１１１において掛止することができる。
【００４３】
図５は、紐体の保持部分１２１を“保持状態”と“開放状態”のいずれかに切り替える様子を示す図である。図５（ａ）は紐体の保持部分１２１が支持プレート１１０の前面側に位置し、“保持状態”となった状態を示している。図５（ｂ）は保持部分１２１を斜め外方に引っ張り、角部１１１を超えさせようとしている図である。図５（ｃ）は紐体の保持部分１２１が支持プレート１１０の背面側に位置し、“開放状態”となった状態を示している。
【００４４】
その中で、図５（ａ）に示すように、保持部分１２１が支持プレート１１０に対して前面側に位置させると、支持プレート１１０の四隅の前方を斜めに横切る状態となる。これが“保持状態”である。この“保持状態”では支持プレート１１０と保持部分１２１の間に隙間が生まれ、この隙間に携帯端末２００の四隅の角がそれぞれ嵌まり込むことにより、携帯端末２００の前面の一部が覆われ、携帯端末２００が四隅においてしっかりと挟持され、その結果、携帯端末２００が保持されることとなる。後述する図７に示すように、保持部分１２１の伸縮による弾性力が、それぞれ四隅から支持プレート１１０の中心側に向かい、携帯端末２００が四隅においてしっかりと挟持される結果、携帯端末２００は容易には抜け落ちない状態となる。
【００４５】
次に、図５（ｂ）に示すように、角部１１１を超えるまで保持部分１２１を外方へ伸ばし、保持部分１２１を角部１１１の裏側へ押し込む。保持部分１２１を角部１１１の裏側へ押し込むと、保持部分は縮み、図５（ｃ）に示すように、自然と角部１１１に掛止させることとなる。支持プレート１１０に対して背面側に位置させると、携帯端末２００を挟持していた状態がなくなり、携帯端末２００が解き放たれる“開放状態”となる。
【００４６】
ここで、角部１１１における保持部分１２１の掛止機能について説明しておく。図５（ｃ）に示すように、紐体の保持部分１２１を“開放状態”とし、支持プレート１１０の背面側に位置する状態とした場合、前面に装着する携帯端末２００から紐体１２０の保持部分１２１が外れることにより、携帯電話２００に対する挟持を解き放ち、図５（ａ）に示す“保持状態”から開放することができるわけであるが、紐体１２０の保持部分１２１が背面側に位置したまま遊んだ状態となるよりも、可逆的に、紐体１２０の保持部分１２１を携帯電話２００に掛け直す動作がスムーズに行われやすいよう、紐体１２０の保持部分１２１の状態を調整しておくことが好ましい。そこで、図５（ｃ）に示すようにこの角部１１１に紐体１２０の保持部分１２１を掛け止めしておくことにより、保持部分１２１が携帯電話２００の四隅に近接した位置で、四隅よりも外方に張られた状態で維持されるため、“保持状態”に移行する際、紐体１２０の保持部分１２１を裏面側から表面側へ押し返すのみで、携帯電話２００に対して掛け直す動作がスムーズに実行できることとなる。
【００４７】
なお、上記構成の紐体１２０は、支持ホルダー１１０の背面側においても、交差するように配置されており、携帯端末ホルダー１００の背面側にも保持機能を備えたものとなっている。薄手のものであれば、支持ホルダー１１０と紐体１２０の間に挟み込むことができ、支持プレート１１０の背面側に保持することができる。例えば、非接触ＩＣカードや紙幣などを保持できる。
【００４８】
次に、携帯端末ホルダー１００を用いて携帯端末２００を装着したり取り出したりする手順を説明する。
図６は携帯端末２００を装着する手順を説明する図である。
まず、図６（ａ）に示すように、携帯端末ホルダー１００の保持部分１２１を支持プレート１１０の裏側へ位置させて“開放状態”とする。
次に、図６（ａ）から図６（ｂ）に示すように、“開放状態”にある携帯端末ホルダー１００に対して携帯端末２００を支持プレート１１０の上に載せ置く。
次に、図６（ｂ）から図６（ｃ）に示すように、保持部分１２１を背面側から外方へ引っ張り上げて伸ばし、表面側へ押し返す。保持部分１２１は角部１１１に掛止されていたので、角部１１１を超えると自然と縮み、その一部が携帯端末２００の表面に掛かるようになり、“保持状態”となる。
【００４９】
図７は、携帯端末２００を携帯端末ホルダー１００に対して保持させた状態を示す図である。図７（ａ）は正面図、図７（ｂ）は右側面図、図７（ｃ）は平面図となっている。
図７に示すように、携帯端末２００は、その四隅において、伸縮性のある保持部分１２１によって挟持され、伸縮による押圧力が携帯端末２００の四隅から中心側に向いているため、携帯端末２００のいずれの方向にずれようとしても常に中心側に向かう押圧力により押し返され、結局、携帯端末２００は支持プレート１１０の中心付近に位置するのが最も安定した状態となる。このように、携帯端末２００が携帯端末ホルダー１００によりしっかりと保持されることとなる。
【００５０】
次に、携帯端末２００を取り出す手順を説明する。
図８は携帯端末２００を取り出す手順を説明する図である。
図８（ａ）に示すように、携帯端末２００は携帯端末ホルダー１００において“保持状態”にある。ここで、図８（ａ）から図８（ｂ）に示すように、紐体１２０の保持部分１２１を外方へ引っ張って伸ばす。角部１１１を超えさせて背面側へ押し込めば自然と縮み、図８（ｃ）に示すように、保持部分１２１が“開放状態”となる。
【００５１】
ここで、“開放状態”とする保持部分１２１の数であるが、四隅にあるすべての保持部分１２１を“開放状態”としても良いが、携帯端末２００を取り出すだけであれば、かならずしも四隅すべての保持部分１２１を“開放状態”とする必要はなく、例えば、図８（ｃ）に示す例のように、右上側と左上側にある保持部分１２１のみを“開放状態”とすれば、携帯端末２００を上側に引き抜くことが可能となる。
上記のように、図６に示す手順にて携帯端末２００を携帯端末ホルダー１００に対して保持させ、図８に示す手順にて携帯端末２００を携帯端末ホルダー１００から解放して取り出すことができる。
【００５２】
なお、上記構成の本発明の携帯端末ホルダー１００の背面側の保持機能について説明する。支持プレート１１０の背面側に保持機能を持たせ、
次に、本発明の携帯端末ホルダー１００に携帯端末２００を装着した状態における携帯端末の操作ついて説明する。
図７に示したように、本発明の携帯端末ホルダー１００は、支持プレート１１０と紐体１２０により構成され、利用者が装着するときも、あと装着部材１４０を取り付けるだけであるため、携帯端末２００の表面や側面には保持部分１２１の一部分が掛かるのみであり、携帯端末２００の前面や側面の表面の多くの部分が露出した状態であり、利用者がそのまま触れることが可能な状態となっている。そのため、携帯端末２００の前面や側面の表面の多くの部分がそのまま触れることが可能である。
【００５３】
近年の携帯端末２００のうち、スマートフォンなどであれば、その操作がタッチパネルを介した操作が多く、また、側面にもいくつかのボタンスイッチが配置されていることが多い。本発明の携帯端末ホルダー１００を用いれば、携帯端末２００の装着状態であっても、前面や側面や上面や底面の多くの部分が露出した状態で利用者がそのまま触れることができるため、利用者は、本発明の携帯端末ホルダー１００を装着姿勢のまま、携帯端末２００に対する簡単なオンオフ操作やボタン操作が可能である。
携帯端末２００を操作することが可能である。
このように、携帯端末２００の装着状態が、前面や側面の表面の多くの部分が露出した状態であり、支持プレート１１０の厚みが加わる程度であるため、利用者が本発明の携帯端末ホルダー１００の装着状態においても非常に薄型であり、利用者が携行しやすく、嵩張らずに小さく軽いものとなる。
【００５４】
次に、携帯端末ホルダー１００を利用者に装着するための部材について説明する。
携帯端末ホルダー１００は、利用者の体の一部に取り付けるストラップ紐またはベルトである装着部材１４０に対して、脱着可能な接続部１３０を備えた構成となっている。この接続部１３０を介して装着部材１４０に対して取り付けることにより、利用者は体の一部に携帯端末ホルダー１００を装着することが可能となっている。
【００５５】
図９は、利用者の肩から胸の周囲を斜めに渡す、いわゆるたすき掛けで装着するストラップまたはベルトである装着部材１３０を取り付けた例である。利用者の肩から胸の周囲を斜めに渡す、いわゆるたすき掛けで装着する装着部材であれば、携帯端末ホルダー１００を胸の前にしっかりと装着することができ、ジョギングやランニング時および自転車やマウンテンバイクのサイクリング中や、自動二輪車でのツーリング中で利用者の腰や足が激しく動く状態であっても、比較的安定した状態で携帯端末２００を保持することができる。
【００５６】
なお、本発明としては、携帯端末２００を保持する姿勢は限定されず、図９に示したいわゆるたすき掛けによる装着のほか、脇の下に携帯端末２００が位置するように装着するいわゆる拳銃ホルダーの装着、腹の前に携帯端末２００が位置するように装着するいわゆるポシェットタイプの装着など、多様な装着が可能である。
【実施例２】
【００５７】
次に、実施例２にかかる携帯端末ホルダー１００ａについて説明する。
実施例２にかかる携帯端末ホルダー１００ａは、磁性材１１４を支持プレート１１０の一部に配した構成例である。
【００５８】
図１０は、実施例２にかかる携帯端末ホルダー１００ａの構成例を示す図である。
図１０に示す構成例では、支持プレート１１０の表面側に２本の帯状の磁性材１１４が設けられている。
なお、磁性材１１４は、後述するように、非接触ＩＣカード３００とＩＣカードリーダ４００との間の通信を支援できる面積、形状、位置に配置されていれば良く、磁性材１１４の面積、形状、位置は図１０のものに限定されない。また、磁性材１１４の配置は、支持プレート１１０の裏面側に配置されたものであっても良い。
【００５９】
磁性材１１４は、ＩＣカードリーダ４００から発せられる磁界を引き込んで放射する効果を有している。磁性材１１４を支持プレート１１０に設けておくことにより、読み取るべき非接触ＩＣカードを正確に読み取るための磁路の形成を助けることができる。
【００６０】
磁性材１１４を支持プレート１１０の一部に配する理由は以下の通りである。
実施例１で述べたように、携帯端末ホルダー１００ａは、支持プレート１１０の背面側において支持プレート１１０と紐対１２０との間に薄手のものを挟み込むことができ、保持機能を持たせることができるが、非接触ＩＣカード３００を保持させることもできる。
携帯端末ホルダー１００ａの支持プレート１１０の背面側に非接触ＩＣカード３００を保持させ、非接触ＩＣカード３００を使用する場合、ＩＣカードリーダ４００にかざして無線によりデータ通信を行わせる必要がある。しかし、携帯端末ホルダー１００ａの支持プレート１１０の表面側に携帯端末２００が存在すると、携帯端末２００がいわゆる“導電体”の役割を果たしてしまい、ＩＣカードリーダ４００が発する発振磁界を吸収したり、ＩＣカードリーダ４００側に戻る磁界を弱めたりする結果、ＩＣカードリーダ４００に戻る磁路が形成されず、非接触ＩＣカード３００がＩＣカードリーダ４００に対して反応しない不具合が発生するおそれがある。
そこで、携帯端末ホルダー１００ａの支持プレート１１０の一部に磁性材１１４を設けておき、ＩＣカードリーダ４００から発せられる磁界を引き込んで放射させることにより、非接触ＩＣカード３００とＩＣカードリーダ４００との間の磁路の形成を支援し、非接触ＩＣカード３００のＩＣカードリーダ４００に対する通信機能の低下を防止するのである。
【００６１】
図１１は、携帯端末ホルダー１００ａの支持プレート１１０の一部に磁性材１１４を設けた場合、非接触ＩＣカード３００とＩＣカードリーダ４００との間の磁路の形成を支援される様子を示す図である。
図１１（ａ）は、携帯端末ホルダー１００ａの支持プレート１１０の表面側の一部に磁性材１１４を設けた場合に、非接触ＩＣカード３００とＩＣカードリーダ４００との間の磁路の形成を支援される様子を示す図である。
図１１（ｂ）は、携帯端末ホルダー１００ａの支持プレート１１０の裏面側の一部に磁性材１１４を設けた場合に、非接触ＩＣカード３００とＩＣカードリーダ４００との間の磁路の形成を支援される様子を示す図である。
【００６２】
図１１（ａ）、図１１（ｂ）いずれの場合も、携帯端末ホルダー１００ａを裏面側（非接触ＩＣカード３００側）からＩＣカードリーダ４００にかざすと、ＩＣカードリーダ４００から発せられた発振磁界は、非接触ＩＣカード３００のアンテナを通過して非接触ＩＣカード３００内に起電力を発生させるとともに磁性材１１４に引き込まれ、さらに磁力線がＩＣカードリーダ４００に戻るという磁路が形成され、非接触ＩＣカード３００のＩＣカードリーダ４００に対する通信が可能となる。
【００６３】
以上、本発明の携帯端末ホルダー１００の実施例を説明したが、上記の構成例以外にも様々な形状、構成要素の配置は可能であることは言うまでもない。
【００６４】
以上、本発明の携帯端末ホルダー１００によれば、伸縮性のある紐体１２０の保持部分１２１において携帯端末２００を挟み込んで維持するため、支持プレート１１０により携帯端末２００が安定した姿勢を維持しやすくなる。
また、本発明の携帯端末ホルダー１００によれば、紐体１２０の保持部分１２１の“保持状態”と“開放状態”の切り替えのみで携帯端末を保持したり、取り出したりできるため、使い勝手がよい。
さらに、本発明の携帯端末ホルダー１００によれば、携帯端末２００に対して紐体１２０の保持部分１２１が前面の一部に掛かるのみであり、携帯端末２００の前面や側面の表面の多くの部分がそのまま触れることが可能であり、装着姿勢のまま、簡単なオンオフ操作やボタン操作が可能である。
【００６５】
以上、本発明の好ましい実施例を図示して説明してきたが、本発明の技術的範囲を逸脱することなく種々の変更が可能であることは理解されるであろう。従って本発明の技術的範囲は添付された特許請求の範囲の記載によってのみ限定されるものである。
【産業上の利用可能性】
【００６６】
本発明の携帯端末ホルダーは、スマートフォン、携帯電話、小型カメラ、デジタルカメラ、ＭＤ・ＭＰ・ＣＤ・プレイヤー、ボイスレコーダ、携帯型パソコンなどの携帯端末のホルダーとして利用することができる。
本発明の携帯端末ホルダーの装着箇所は、いわゆるたすき掛けによる装着のほか、脇の下に携帯端末が位置するように装着するいわゆる拳銃ホルダータイプの装着、腹の前に携帯端末が位置するように装着するいわゆるポシェットタイプの装着など、多様なものが含まれ得る。
【図面の簡単な説明】
【００６７】
【図１】実施例１にかかる携帯端末ホルダー１００の一構成例を模式的に示す図（その１）である。
【図２】実施例１にかかる携帯端末ホルダー１００の一構成例を模式的に示す図（その２）である。
【図３】支持プレート１１０を取り出して示した図である。
【図４】突出部１１２における紐体取り付け部１１３部分を拡大して示した図である。
【図５】紐体の保持部分１２１を“保持状態”と“開放状態”のいずれかに切り替える様子を示す図である。
【図６】携帯端末２００を装着する手順を説明する図である。
【図７】携帯端末２００を携帯端末ホルダー１００に対して保持させた状態を示す図である。
【図８】携帯端末２００を取り出す手順を説明する図である。
【図９】利用者の肩から胸の周囲を斜めに渡す、いわゆるたすき掛けで装着するストラップまたはベルトである装着部材１３０を取り付けた例である。
【図１０】実施例２にかかる携帯端末ホルダー１００ａの構成例を示す図である。
【図１１】携帯端末ホルダー１００ａの支持プレート１１０の一部に磁性材１１４を設けた場合、非接触ＩＣカード３００とＩＣカードリーダ４００との間の磁路の形成を支援される様子を示す図である。
【図１２】実用新案登録第３０６０４４７号公報に開示された構成例を示す図である。
【図１３】特開平１０−２０１５１４号公報に開示された構成例を示す図である。
【図１４】特開２００３−５２４３６号公報に開示された構成例を示す図である。
【図１５】特開２００２−１９９０７４号公報に開示された構成例を示す図である。
【図１６】特開２００６−３４０７７３号公報に開示された構成例を示す図である。
【図１７】特開平７−２５０１４０号公報に開示された構成例を示す図である。
【符号の説明】
【００６８】
１００  携帯端末ホルダー
１１０  支持プレート
１１１  角部
１１２  突出部
１１３  紐体取り付け部
１１４  磁性材
１２０  紐体
１２１  保持部分
１３０  接続部
１４０  装着部材
【図１】
2013192085.tif 000003
【図２】
2013192085.tif 000004
【図３】
2013192085.tif 000005
【図４】
2013192085.tif 000006
【図５】
2013192085.tif 000007
【図６】
2013192085.tif 000008
【図７】
2013192085.tif 000009
【図８】
2013192085.tif 000010
【図９】
2013192085.tif 000011
【図１０】
2013192085.tif 000012
【図１１】
2013192085.tif 000013
【図１２】
2013192085.tif 000014
【図１３】
2013192085.tif 000015
【図１４】
2013192085.tif 000016
【図１５】
2013192085.tif 000017
【図１６】
2013192085.tif 000018
【図１７】
2013192085.tif 000019